Podtech/llm-jp-corpus-v4-ja_patent huggingface dataset:
【手続補正書】
【提出日】平成17年3月14日(2005.3.14)
【手続補正１】
【補正対象書類名】特許請求の範囲
【補正対象項目名】全文
【補正方法】変更
【補正の内容】
【特許請求の範囲】
【請求項１】
ＳｉＯ２に加えて、さらに少なくとも１個の他の２価、３価または４価の金属Mの酸化物を含有するゼオライト触媒上で、ピペラジンを反応させることによってトリエチレンジアミンを製造するための方法において、ゼオライトがＳｉ／Ｍモル比＞１００を有することを特徴とする、トリエチレンジアミンを製造するための方法。
【請求項２】
Ｍが、Ａｌ、Ｂ、Ｆｅ、Ｃｏ、Ｎｉ、Ｖ、Ｍｏ、Ｍｎ、Ａｓ、Ｓｂ、Ｂｉ、Ｌａ、Ｇａ、Ｉｎ、Ｙ、Ｓｃ、Ｃｒ、Ｚｎ、Ｓｎ、Ｂｅ、Ｔｉ、Ｚｒ、ＧｅおよびＨｆから成る群から選択される、請求項１に記載の方法。
【請求項３】
特にペンタシル型のゼオライトを使用する、請求項１または２に記載の方法。
【請求項４】
ゼオライトが、ＺＳＭ−５型またはＺＳＭ−１１型であるか、あるいはこれらの混合された構造である、請求項３に記載の方法。
【請求項５】
触媒が、少なくとも部分的にＨ−形で使用される、請求項１から４までのいずれか１項に記載の方法。
【請求項６】
２５０〜５００℃で実施する、請求項１から５までのいずれか１項に記載の方法。
【請求項７】
ピペラジンを、水および／または有機性希釈剤との混合物として使用する、請求項１から６までのいずれか１項に記載の方法。
【請求項８】
ピペラジン変換率が８０％を上廻る、請求項１から７までのいずれか１項に記載の方法。
【請求項９】
回分的にかまたは連続的に実施する、請求項１から８までのいずれか１項に記載の方法。
【請求項１０】
気相中で実施する、請求項９に記載の方法。
【請求項１１】
流動触媒床または固定触媒床上で実施する、請求項９に記載の方法。
【手続補正書】
【提出日】平成16年6月17日(2004.6.17)
【手続補正１】
【補正対象書類名】特許請求の範囲
【補正対象項目名】全文
【補正方法】変更
【補正の内容】
【特許請求の範囲】
【請求項１】
弱水溶性の薬物、並びに（ａ）製薬的に受容される湿潤剤、（ｂ）少なくとも約０．２５％のチキソトロープ量で存在する製薬的に受容されるチキソトロープ増粘剤及び（ｃ）製薬的に受容される無機懸濁化剤を含む水性液体ビヒクルを含む、物理的に安定で、チキソトロープ性である経口デリバリー可能な薬剤組成物。
【請求項２】
薬物の少なくとも実質的な部分が粒状形でビヒクル中に懸濁して、実質的に解凝された懸濁液を形成する、請求項１記載の組成物。
【請求項３】
弱水溶性の薬物が以下の式の選択的シクロオキシゲナーゼ−２阻害薬である、請求項２記載の組成物：
【化１】
2005500363.tif 000001
［上記式において、Ｒ３はメチル又はアミノ基であり、Ｒ４は水素又はＣ１−Ｃ４アルキル若しくはアルコキシ基であり、ＸはＮ又はＣＲ５であり、この場合、Ｒ５は水素若しくはハロゲンであり、Ｙ及びＺは、独立的に炭素又は窒素であって、これらは、非置換であるか又は１つ以上の位置においてオキソ、ハロ、メチル若しくはハロメチル基で置換されている５〜６員環の隣接原子を定義し、前記５〜６員環が、１つ以下の位置で置換されている、シクロペンテノン環、フラノン環、メチルピラゾール環、イソオキサゾール環及びピリジン環から成る群から選択される］。
【請求項４】
選択的シクロオキシゲナーゼ−２阻害薬が、セレコキシブ、デラコキシブ、バルデコキシブ、ロフェコキシブ、エトリコキシブ、２−（３，５−ジフルオロフェニル）−３−［４−（メチルスルホニル）フェニル］−２−シクロペンテン−１−オン及び（Ｓ）−６，８−ジクロロ−２−（トリフルオロメチル）−２Ｈ−１−ベンゾピラン−３−カルボン酸から成る群から選択される、請求項３記載の組成物。
【請求項５】
湿潤剤が、第４級アンモニウム化合物、スルホコハク酸ジオクチルナトリウム、ポリオキシエチレンアルキルフェニルエーテル、ポロキサマー、ポリオキシエチレン脂肪酸グリセリド及び油、ポリオキシエチレンアルキルエーテル、ポリオキシエチレン脂肪酸エステル、ポリオキシエチレンソルビタンエステル、プロピレングリコール脂肪酸エステル、ラウリル硫酸ナトリウム、脂肪酸及びその塩、グリセリル脂肪酸エステル、ソルビタンエステル、チロキサポール及びこれらの混合物から成る群から選択される、請求項１記載の組成物。
【請求項６】
チキソトロープ増粘剤が、メチルセルロース、微結晶性セルロース、ポリビニルピロリドン、及びヒドロキシプロピルメチルセルロースから成る群から選択される、セルロースポリマーであるか、あるいはキサンタンガム、グアールガム、アラビアゴム及びトラガカントガムから成る群から選択される多糖ガムである、請求項１記載の組成物。
【請求項７】
無機懸濁化剤が、コロイド二酸化ケイ素、ベントナイト及びカオリンから成る群から選択される、請求項１記載の組成物。
【請求項８】
薬物が、組成物の総重量に基づいて、約０．０１〜約１５％の量で存在し、湿潤剤が、約０．０１〜約２重量％の量で存在し、チキソトロープ増粘剤が、約０．２５〜約２重量％の量で存在し、そして無機懸濁化剤が、約０．０１〜約３重量％の量で存在する、請求項１記載の組成物。
【請求項９】
弱水溶性の薬物の、水性かつチキソトロープ性である薬剤組成物の物理的安定性を高める方法であって、該組成物、少なくとも約０．２５％のチキソトロープ量の製薬的に受容されるチキソトロープ剤、及び該組成物及び湿潤剤の物理的安定性を高めるように相乗的に作用する量の無機懸濁化剤の混合物を形成することを含む方法。
【請求項１０】
薬物の少なくとも実質的な部分が混合物中で粒状形で懸濁して、実質的に解凝されている懸濁液を形成する、請求項９記載の方法。
【請求項１１】
弱水溶性の薬物が以下の式の選択的シクロオキシゲナーゼ−２阻害薬である、請求項１０記載の方法：
【化２】
2005500363.tif 000002
［上記式において、Ｒ３はメチル又はアミノ基であり、Ｒ４は水素又はＣ１−Ｃ４アルキル若しくはアルコキシ基であり、ＸはＮ又はＣＲ５であり、この場合、Ｒ５は水素若しくはハロゲンであり、Ｙ及びＺは、独立的に炭素又は窒素であって、これらは、非置換であるか又は１つ以上の位置においてオキソ、ハロ、メチル若しくはハロメチル基で置換されている５〜６員環の隣接原子を定義し、前記５〜６員環が、１つ以下の位置で置換されている、シクロペンテノン環、フラノン環、メチルピラゾール環、イソオキサゾール環及びピリジン環から成る群から選択される］。
【請求項１２】
選択的シクロオキシゲナーゼ−２阻害薬が、セレコキシブ、デラコキシブ、バルデコキシブ、ロフェコキシブ、エトリコキシブ、２−（３，５−ジフルオロフェニル）−３−［４−（メチルスルホニル）フェニル］−２−シクロペンテン−１−オン及び（Ｓ）−６，８−ジクロロ−２−（トリフルオロメチル）−２Ｈ−１−ベンゾピラン−３−カルボン酸から成る群から選択される、請求項１１記載の方法。
【請求項１３】
湿潤剤が、第４級アンモニウム化合物、スルホコハク酸ジオクチルナトリウム、ポリオキシエチレンアルキルフェニルエーテル、ポロキサマー、ポリオキシエチレン脂肪酸グリセリド及び油、ポリオキシエチレンアルキルエーテル、ポリオキシエチレン脂肪酸エステル、ポリオキシエチレンソルビタンエステル、プロピレングリコール脂肪酸エステル、ラウリル硫酸ナトリウム、脂肪酸及びその塩、グリセリル脂肪酸エステル、ソルビタンエステル、チロキサポール及びこれらの混合物から成る群から選択される、請求項９記載の方法。
【請求項１４】
チキソトロープ増粘剤が、メチルセルロース、微結晶性セルロース、ポリビニルピロリドン、及びヒドロキシプロピルメチルセルロースから成る群から選択される、セルロースポリマーであるか、あるいはキサンタンガム、グアールガム、アラビアゴム及びトラガカントガムから成る群から選択される多糖ガムである、請求項９記載の方法。
【請求項１５】
無機懸濁化剤が、コロイド二酸化ケイ素、ベントナイト及びカオリンから成る群から選択される、請求項９記載の方法。
【請求項１６】
薬物が、組成物の総重量に基づいて、約０．０１〜約１５％の量で存在し、湿潤剤が、約０．０１〜約２重量％の量で存在し、チキソトロープ増粘剤が、約０．２５〜約２重量％の量で存在し、そして無機懸濁化剤が、約０．０１〜約３重量％の量で存在する、請求項９記載の方法。
【手続補正書】
【提出日】平成16年4月1日(2004.4.1)
【手続補正１】
【補正対象書類名】特許請求の範囲
【補正対象項目名】全文
【補正方法】変更
【補正の内容】
【特許請求の範囲】
【請求項１】
式Ｉ：
【化１】
2005500354.tif 000001
（式中、
Ｒ1は、水素又はフルオロである）で示される化合物、及び
その薬学的に許容されうる酸付加塩。
【請求項２】
化合物が、
２−（３，５−ビス−トリフルオロメチル−フェニル）−Ｎ−〔６−（１，１−ジオキソ−１λ6−チオモルホリン−４−イル）−４−ｏ−トリル−ピリジン−３−イル〕−Ｎ−メチル−イソブチルアミドである、請求項１記載の化合物。
【請求項３】
化合物が、
２−（３，５−ビス−トリフルオロメチル−フェニル）−Ｎ−〔６−（１，１−ジオキソ−１λ6−チオモルホリン−４−イル）−４−（４−フルオロ−２−メチル−フェニル）−ピリジン−３−イル〕−Ｎ−メチル−イソブチルアミドである、請求項１記載の化合物。
【請求項４】
請求項２及び３記載の式Ｉの化合物、並びに薬学的に許容されうる賦形剤を含む薬剤。
【請求項５】
ＮＫ−１レセプターに関連する疾患の処置のための請求項４記載の薬剤。
【請求項６】
請求項１記載の式Ｉの化合物の調製方法であって、式II：
【化２】
2005500354.tif 000002
の化合物をＯＸＯＮＥ（登録商標）と反応させて、
式Ｉ：
【化３】
2005500354.tif 000003
（式中、Ｒ1は、水素又はフルオロであることができる）の化合物とし、
そして
所望であれば、得られる化合物を薬学的に許容されうる酸付加塩に変換することを含む方法。
【請求項７】
請求項６記載の方法又は同等な方法により調製される、請求項１、２又は３のいずれか１項記載の式Ｉの化合物
【請求項８】
疾患の処置における請求項１〜３記載の式Ｉの化合物の使用。
【請求項９】
ＮＫ−１レセプターに関連する疾患の処置における請求項７記載の式Ｉの化合物の使用。
【請求項１０】
ＮＫ−１レセプターに関連する疾患の処置のための薬剤の製造における請求項１〜３のいずれか１項記載の式Ｉの化合物の使用。
【請求項１１】
片頭痛、慢性関節リウマチ、喘息、気管支機能亢進、炎症性腸疾患の処置、あるいはパーキンソン病、不安、抑うつ、疼痛、頭痛、アルツハイマー病、多発性硬化症、浮腫、アレルギー性鼻炎、クローン病、目の損傷、目の炎症性疾患、精神病、乗物酔い、誘導される嘔吐、嘔吐、尿失禁、精神免疫学的若しくは精神身体的障害、癌、アヘン若しくはニコチンの習慣性薬物による禁断症状、外傷性脳障害又は良性前立腺肥大症を含む障害の処置のための薬剤の製造における、請求項１０記載の請求項１〜３のいずれか１項記載の式Ｉの化合物の使用。
【請求項１２】
抑うつ、不安又は嘔吐を処置する薬剤の製造における請求項１０及び１１記載の式Ｉの化合物の使用。
【手続補正書】
【提出日】平成16年4月9日(2004.4.9)
【手続補正１】
【補正対象書類名】特許請求の範囲
【補正対象項目名】全文
【補正方法】変更
【補正の内容】
【特許請求の範囲】
【請求項１】
60重量％DPPC、30重量％インスリンおよび10重量％クエン酸ナトリウムを含有する粒子を有してなる製剤。
【請求項２】
40重量％DPPC、50重量％インスリンおよび10重量％クエン酸ナトリウムを含有する粒子を有してなる製剤。
【請求項３】
40重量％〜60重量％DPPC、30重量％〜50重量％インスリンおよび10重量％クエン酸ナトリウムを含有する粒子を有してなる製剤。
【請求項４】
80重量％DPPC、10重量％インスリンおよび10重量％クエン酸ナトリウムを含有する粒子を有してなる製剤。
【請求項５】
75重量％DPPC、15重量％インスリンおよび10重量％クエン酸ナトリウムを含有する粒子を有してなる製剤。
【請求項６】
75重量％〜80重量％DPPC、10重量％〜15重量％インスリンおよび10重量％クエン酸ナトリウムを含有する粒子を有してなる製剤。
【請求項７】
粒子が、約1.5mg〜約20mgの質量のインスリンを含有してなる請求項６記載の製剤。
【請求項８】
粒子が、容器当たり約1.5mgの質量のインスリンを含有してなる請求項６記載の製剤。
【請求項９】
粒子が、容器当たり約５mgの質量のインスリンを含有してなる請求項６記載の製剤。
【請求項１０】
粒子が、約42IU〜約540IUのインスリンの投薬量を含有してなる請求項６記載の製剤。
【請求項１１】
粒子が、約42IUのインスリンの投薬量を含有してなる請求項１０記載の製剤。
【請求項１２】
粒子が、約84IU〜約294IUのインスリンの投薬量を含有してなる請求項１０記載の製剤
。
【請求項１３】
粒子が、約0.4g/cm3未満のタップ密度を有してなる請求項６記載の製剤。
【請求項１４】
粒子が約0.1g/cm3未満のタップ密度を有してなる請求項１３記載の製剤。
【請求項１５】
粒子が、約５μm〜約30μmのメジアン幾何学的直径を有してなる請求項６記載の製剤。
【請求項１６】
粒子が、約７μm〜約８μmのメジアン幾何学的直径を有してなる請求項１５記載の製剤。
【請求項１７】
粒子が、約１μm〜約５μmの空気力学的直径を有してなる請求項６記載の製剤。
【請求項１８】
粒子が、約１μm〜約３μmの空気力学的直径を有する請求項１７記載の製剤。
【請求項１９】
粒子が、約３μm〜約５μmの空気力学的直径を有する請求項１７記載の製剤。
【請求項２０】
粒子がアミノ酸をさらに含有してなる請求項６記載の製剤。
【請求項２１】
アミノ酸が、ロイシン、イソロイシン、アラニン、バリン、フェニルアラニンまたはその任意の組み合わせである請求項２０記載の製剤。 
【請求項２２】
粒子が低転移温度リン脂質をさらに含有してなる請求項６記載の製剤。 
【請求項２３】
a）60重量％DPPC、30重量％インスリンおよび10重量％クエン酸ナトリウムを含有する粒子；
b）40重量％DPPC、50重量％インスリンおよび10重量％クエン酸ナトリウムを含有する粒子；
c）40重量％〜60重量％DPPC、30重量％〜50重量％インスリンおよび10重量％クエン酸ナトリウムを含有する粒子；
d）75重量％DPPC、15重量％インスリンおよび10重量％クエン酸ナトリウムを含有する粒子；
e）80重量％DPPC、10重量％インスリンおよび10重量％クエン酸ナトリウムを含有する粒子；ならびに
f）75重量％〜80重量％DPPC、10重量％〜15重量％インスリンおよび10重量％クエン酸ナトリウムを含有する粒子
からなる群より選ばれる単位投薬量を含有する２つ以上の容器を含有してなるインスリンの投与用キット。
【請求項２４】
前記２つ以上の容器を使用するための説明書をさらに含有してなる請求項２３記載のキット。
【請求項２５】
１つ以上の容器が、40重量％〜60重量％DPPC、30重量％〜50重量％インスリンおよび10重量％クエン酸ナトリウムを含有する粒子の単位投薬量を含有してなり、１つ以上の容器が、75重量％〜80重量％DPPC、10重量％〜15重量％インスリンおよび10重量％クエン酸ナトリウムを含有する粒子の単位投薬量を含有してなる請求項２３記載のキット。
【請求項２６】
１つ以上の容器が60重量％DPPC、30重量％インスリンおよび10重量％クエン酸ナトリウムを含有する粒子の単位投薬量を含有してなり、１つ以上の容器が、80重量％DPPC、10重量％インスリンおよび10重量％クエン酸ナトリウムを含有する粒子の単位投薬量を含有し
てなる請求項２３記載のキット。
【請求項２７】
60重量％DPPC、30重量％インスリンおよび10重量％クエン酸ナトリウムを含有する粒子を有してなる製剤であって、該製剤の製造方法が、
a）DPPCの溶液を調製する工程；
b）インスリンおよびクエン酸ナトリウムの溶液を調製する工程
c）工程a）およびb）の溶液を50℃の温度に加熱する工程；
d）総溶質濃度が１リットル当たり３gより多くなるように工程c）の加熱した溶液を合わせる工程；および
e）工程d）で形成された溶液を噴霧乾燥して粒子を形成する工程
を含む、製剤。
【請求項２８】
工程d）において、前記溶質濃度が１リットル当たり15ｇである請求項２７記載の製剤。
【請求項２９】
各々が、種々の量の吸入に適した噴霧乾燥インスリンを含有する少なくとも２つの容器を含有してなるキット。
【手続補正書】
【提出日】平成17年5月11日(2005.5.11)
【手続補正１】
【補正対象書類名】明細書
【補正対象項目名】００２２
【補正方法】変更
【補正の内容】
【００２２】
かかる適切なコポリマーは、好適には、ASTM D−１６４６により測定した場合、１２１℃にてムーニー粘度ML１＋４が＜５及びASTM D−６３８Mにより測定した場合、極限引張強さ（MPa）が５０mm／minで約３〜１３でありそして硬度７０〜１００（ShoreA，ASTM−2240）を有する。
【手続補正書】
【提出日】平成17年1月6日(2005.1.6)
【手続補正１】
【補正対象書類名】特許請求の範囲
【補正対象項目名】全文
【補正方法】変更
【補正の内容】
【特許請求の範囲】
【請求項１】
多数の測定値を有する、組織スペクトルデータを使用する、生体測定タスクを実施するための方法であって、該方法は、以下：
多数の別個の光源からの照射を使用して、標的組織スペクトルデータを各々の該標的から得る工程；および
多変量アルゴリズムを使用して該標的組織スペクトルデータを処理して、生体測定を提供する工程、
を包含する、方法。
【請求項２】
前記スペクトルデータは、複数の供給源−検出器の隔離距離を表す、請求項１に記載の方法。
【請求項３】
前記生体測定が、識別タスクである、請求項１に記載の方法。
【請求項４】
前記生体測定が、識別確認タスクである、請求項１に記載の方法。
【請求項５】
前記生体測定が、生存測定タスクである、請求項１に記載の方法。
【手続補正書】
【提出日】平成17年2月10日(2005.2.10)
【手続補正１】
【補正対象書類名】特許請求の範囲
【補正対象項目名】全文
【補正方法】変更
【補正の内容】
【特許請求の範囲】
【請求項１】
ハブと、
前記ハブに連結されている複数の剛毛とを備え、
前記剛毛の各々は、基準軸線に平行な道筋に沿って通常は延びる長手軸線を有し、前記剛毛の各々は外側自由端を有し、前記ハブが前記基準軸線を中心に任意速度で弧状に回転して前記複数の剛毛が歯構造と接触するときに、前記外側自由端は相互方向へ収束して一体となってテーパ状の全体形状を呈し、前記剛毛の少なくとも幾つかが、エラストマー材料および該エラストマー材料の全体に分散される多数の研磨剤粒子を含んで構成される、
歯科用ハンドピース用のブラシ。
【手続補正２】
【補正対象書類名】明細書
【補正対象項目名】発明の名称
【補正方法】変更
【補正の内容】
【発明の名称】歯科用ハンドピース用のブラシ
【手続補正書】
【提出日】平成15年8月28日(2003.8.28)
【手続補正１】
【補正対象書類名】特許請求の範囲
【補正対象項目名】全文
【補正方法】変更
【補正の内容】
【特許請求の範囲】
【請求項１】
組成物であって、以下：
生分解性のマトリックスまたはマトリックス形成材料；および
滑膜組織の片の調製物；
を含有する、組成物。
【請求項２】
前記マトリックスが、フィブリン、コラーゲン、ゼラチン、アガロース、およびこれらの組み合わせからなる群より選択される、請求項１に記載の組成物。
【請求項３】
有効量の形質転換因子をさらに含有する、請求項１または２に記載の組成物。
【請求項４】
前記形質転換因子が、ＴＧＦ−β、ＢＭＰ、ＣＤＭＰ、ＩＨＨ、ＳＨＨおよびＳＯＸ−９からなる群より選択される、請求項３に記載の組成物。
【請求項５】
前記滑膜組織が、ＢＭＰ、ＢＭＰ−２、ＢＭＰ−９、ＴＧＦ−β、ＣＤＭＰ、ＩＨＨ、ＳＨＨおよびＳＯＸ−９からなる群より選択される１種以上の軟骨形成遺伝子で形質転換された細胞を含有する、請求項１〜３のいずれか１項に記載の組成物。
【請求項６】
前記形質転換因子が、制御放出送達系に付随している、請求項３に記載の組成物。
【請求項７】
前記制御放出送達系が、リポソーム、ミクロスフィア、生体侵食性ポリマー、硫酸ヘパリンプロテオグリカンに化学結合したコラーゲン繊維、および炭水化物に基づく小体からなる群より選択される、請求項６に記載の組成物。
【請求項８】
有効量の増殖因子をさらに含有する、請求項１〜３のいずれか１項に記載の組成物。
【請求項９】
有効量の抗脈管形成因子をさらに含有する、請求項１〜３のいずれか１項に記載の組成物。
【請求項１０】
有効量の鉱化作用インヒビターをさらに含有する、請求項１〜３のいずれか１項に記載の組成物。
【請求項１１】
有効量のカルシウム沈着インヒビターをさらに含有する、請求項１〜３のいずれか１項に記載の組成物。
【請求項１２】
フィブリン接着剤、トランスグルタミナーゼまたはフィブロネクチンをさらに含有する、請求項１〜１１のいずれか１項に記載の組成物。
【請求項１３】
ヒトを含む動物における軟骨欠損の処置のための医薬の調製における、請求項１〜１２のいずれか１項に記載の組成物の使用。
【請求項１４】
ヒトを含む動物における軟骨欠損の処置のための医薬の調製における、形質転換因子に浸漬したパッドの使用。
【請求項１５】
ヒトを含む動物における、軟骨の欠損の処置のための、滑膜被覆膜の使用。
【請求項１６】
有効量の形質転換因子をさらに含有する、請求項１５に記載の使用。
【請求項１７】
前記形質転換因子が、ＴＧＦ−β、ＢＭＰ、ＣＤＭＰ、ＩＨＨ、ＳＨＨおよびＳＯＸ−９からなる群より選択される、請求項１６に記載の使用。
【請求項１８】
前記滑膜被覆膜が、部分的に誘導体化されている、請求項１５〜１７のいずれか１項に記載の使用。
【請求項１９】
前記組成物が、前記欠損の表面のプロテオグリカンを分解するための薬剤をさらに含有する、請求項１３〜１８のいずれか１項に記載の使用。
【請求項２０】
プロテオグリカンを分解するための前記薬剤が、コンドロイチナーゼＡＣである、請求項１９に記載の使用。
【請求項２１】
滑膜被覆膜を軟骨欠損の縁に付着させるための医薬の調製における、形質転換因子に浸漬した縫合糸の使用。
【請求項２２】
ヒトを含む動物において関節軟骨欠損を処置するための医薬の製造における、滑膜細胞含有組成物の使用。
【請求項２３】
前記滑膜細胞が自己由来である、請求項２２に記載の使用。
【請求項２４】
前記滑膜細胞が、培養物中で増殖されている、請求項２２または２３に記載の使用。
【請求項２５】
前記組成物が、生分解性マトリックスをさらに含有する、請求項２２〜２４のいずれか１項に記載の使用。
【請求項２６】
前記組成物が、有効量の形質転換因子をさらに含有する、請求項２２または２５に記載の使用。
【請求項２７】
前記組成物が、有効量の抗脈管形成因子をさらに含有する、請求項２２または２５に記載の使用。
【請求項２８】
ヒトを含む動物において関節軟骨欠損を処置するための医薬の調製における、滑膜由来の自己由来の軟骨マトリックスの使用。
【請求項２９】
前記組成物が、前記欠損の表面のプロテオグリカンを分解するための薬剤をさらに含有する、請求項２２、２６または２８のいずれか１項に記載の使用。
【請求項３０】
プロテオグリカンを分解するための前記薬剤が、コンドロイチナーゼＡＣである、請求項２９に記載の使用。
【請求項３１】
前記マトリックスが、フィブリン、コラーゲン、ゼラチン、アガロース、およびこれらの組み合わせからなる群より選択される、請求項２５に記載の使用。
【請求項３２】
前記抗脈管形成因子が、スラミン、アンギオスタチン、メタロプロテアーゼインヒビター、抗ｂＦＧＦ抗体、抗ＥＳＡＦ抗体、フマギリン、およびＡＧＭ−１４７０からなる群より選択される、請求項２７に記載の使用。
【請求項３３】
前記形質転換因子が、ＴＧＦ−β、ＢＭＰ、ＣＤＭＰ、ＩＨＨ、ＳＨＨおよびＳＯＸ−９からなる群より選択される、請求項２６に記載の使用。
【請求項３４】
有効量の増殖因子をさらに含有する、請求項２２に記載の使用。
【請求項３５】
有効量の鉱化作用インヒビターをさらに含有する、請求項２２、２６または２７のいずれか１項に記載の使用。
【請求項３６】
有効量のカルシウム沈着インヒビターをさらに含有する、請求項２２、２６または２７のいずれか１項に記載の使用。
【請求項３７】
フィブリン接着剤、トランスグルタミナーゼ、フィブロネクチンおよびこれらの組み合わせからなる群より選択される薬剤をさらに含有する、請求項２３、２６または２７のいずれか１項に記載の使用。
【請求項３８】
前記形質転換因子が、制御放出送達系に付随している、請求項２６に記載の使用。
【手続補正書】
【提出日】平成17年3月25日(2005.3.25)
【手続補正１】
【補正対象書類名】特許請求の範囲
【補正対象項目名】請求項１
【補正方法】変更
【補正の内容】
【請求項１】
次のアミノ酸配列：
Ｘａａ１ＣＣＳＸａａ２Ｘａａ３Ｘａａ４ＣＸａａ５Ｘａａ６Ｘａａ７Ｘａａ８Ｘａａ９Ｘａａ１０Ｘａａ１１Ｃ−ＮＨ２      （配列番号１１）
［式中、Ｘａａ１はＧまたはＤであり；Ｘａａ３はプロリン、ヒドロキシプロリンまたはグルタミンであり；Ｘａａ２ないしＸａａ８およびＸａａ１１のそれぞれは独立して任意のアミノ酸であり；Ｘａａ９はプロリン、ヒドロキシプロリンまたはグルタミンであり；Ｘａａ１０はアスパルテート、グルタメートまたはγ−カルボキシグルタメートであり；Ｘａａ１１は存在しなくてもよく；Ｃ末端はアミド化されていてもよい］
を含む単離されたα−コノトキシン様ペプチド：ただし、当該ペプチドはα−コノトキシンＥｐＩ、α−コノトキシンＩｍＩ、α−コノトキシンＰｎＩＡまたはα−コノトキシンＰｎＩＢ以外のペプチドである。
【手続補正２】
【補正対象書類名】明細書
【補正対象項目名】０００７
【補正方法】変更
【補正の内容】
【０００７】
第一の態様において、本発明は次のアミノ酸配列を含む単離されたα−コノトキシンペプチドを提供する：
Ｘａａ１ＣＣＳＸａａ２Ｘａａ３Ｘａａ４ＣＸａａ５Ｘａａ６Ｘａａ７Ｘａａ８Ｘａａ９Ｘａａ１０Ｘａａ１１Ｃ−ＮＨ２
（配列番号１１）（式中、Ｘａａ１はＧまたはＤであり；Ｘａａ３はプロリン、ヒドロキシプロリンまたはグルタミンであり；Ｘａａ２ないしＸａａ８およびＸａａ１１のそれぞれは独立して任意のアミノ酸であり；Ｘａａ９はプロリン、ヒドロキシプロリンまたはグルタミンであり；Ｘａａ１０はアスパルテート、グルタメートまたはγ−カルボキシグルタメートであり；Ｘａａ１１は所望により存在しなくてもよく；Ｃ末端は所望によりアミド化されていてもよい。ただし、ペプチドはα−コノトキシンＥｐＩまたはα−コノトキシンＩｍＩでないとする）。
好ましくは、Ｘａａ２はＤ、ＨまたはＮであり；Ｘａａ４はＡ、ＰまたはＲであり；Ｘａａ５はＮ、ＡまたはＹであり；Ｘａａ６はＡ、Ｙ、Ｈ、ＭまたはＶであり；Ｘａａ７はＮまたはＤであり；Ｘａａ８はＨまたはＮであり；Ｘａａ１１はＩまたはＹである。
【手続補正３】
【補正対象書類名】明細書
【補正対象項目名】００１０
【補正方法】変更
【補正の内容】
【００１０】
好ましくは、ペプチドは合成品であり、当該分野において公知の方法により、たとえば、ＢＯＣまたはｆＭＯＣ法を用いた公知固相ペプチド合成により調製することができる。ペプチドがコーヌス属の軟体動物から単離される場合、このコーヌスは好ましくはＣｏｎｕｓ  ｖｉｃｔｏｒｉａｅ、Ｃｏｎｕｓ  ａｎｅｍｏｎｅまたはＣｏｎｕｓ  ｖｉｒｇｏである。
全てのジスルフィド結合形（Ｐｒｉｃｅ−Ｃａｒｔｅｒら、２００２参照）を包含するペプチドの全ての異性体は、本発明の範囲内に含まれると理解される。
ペプチドにおける４のシステインは酸化されて、２つの分子内ジスルフィド結合を提供する。この反応は自発的に進行するので、還元された形態は活性形態の供給源である。ジスルフィド結合によるシステイン残基のこの結合は、３通りの方法により起こり得る：第一と第二、第二と第三、または第三と第四システイン、続いて各場合において２つの残りのシステインを結合させる（Ｇｅｈｒｍａｎｎら、１９９８参照）。他の可能なスルフィドリル結合は、Ｃｏｎｕｓ  ａｕｌｉｃｕｓから得られるα−コノトキシンＡｕＩＢにおける４：６結合（Ｌｕｏら、１９９８）、またはＣｏｎｕｓ  ｉｍｐｅｒｉａｌｉｓから得られるα−コノトキシンＩｍＩにおいてみられる４：３ループ（ＭｃＩｎｔｏｓｈら、１９９４）などのニューロンニコチンレセプターでの活性ペプチドを産生することが知られているものである。
【手続補正４】
【補正対象書類名】明細書
【補正対象項目名】００５０
【補正方法】変更
【補正の内容】
【００５０】
（ｃ）合成された１６アミノ酸残基ペプチドＶｃ１．１（配列番号２）は停止コドンの前の１７アミノ酸残基から誘導され、Ｃ−末端グリシン残基は通常除去され、結果として得られるＣ−末端システインのアミド化により置換され、ニューロンｎＡＣｈＲ拮抗物質として活性な公知α−コノトキシンのＣ−末端と一致する。
（ｄ）合成ペプチドはＣＣ−（Ｘ）４−Ｃ−（Ｘ）７−Ｃフレームワーク中に４のシステイン残基を有する。
【手続補正書】
【提出日】平成16年4月2日(2004.4.2)
【手続補正１】
【補正対象書類名】特許請求の範囲
【補正対象項目名】全文
【補正方法】変更
【補正の内容】
【特許請求の範囲】
【請求項１】
植物病害防除および植物生長促進に有効なErwinia属の病原菌である、枝黒枯病菌ＷＴ＃３（Erwinia pyrifoliae WT#3, KCCM 10283）。
【請求項２】
配列番号５の核酸配列を含むことを特徴とする、遺伝子。
【請求項３】
配列番号６に該当するアミノ酸配列で表されるポリペプチド又はタンパク質を含むことを特徴とする、遺伝子。
【請求項４】
前記核酸配列は、枝黒枯病菌ＷＴ＃３（Erwinia pyrifoliae WT#3, KCCM 10283）に由来することを特徴とする、請求項２記載の遺伝子。
【請求項５】
請求項２記載の遺伝子を含有することを特徴とする、組換え発現ベクター。
【請求項６】
請求項２記載の遺伝子を含有することを特徴とする、形質転換体。
【請求項７】
前記形質転換体は、植物およびバクテリアからなる群から選択されることを特徴とする、請求項６記載の形質転換体。
【請求項８】
配列番号６のアミノ酸配列を含み、植物細胞と接触させる場合、植物において病原菌に対する過敏感反応または耐性を誘導することを特徴とする、非感染性形態のポリペプチドまたはタンパク質。
【請求項９】
前記アミノ酸配列は、前記枝黒枯病菌ＷＴ＃３（Erwinia pyrifoliae WT#3, KCCM 10283）に由来することを特徴とする、請求項８記載のポリペプチドまたはタンパク質。
【請求項１０】
前記ポリペプチドまたはタンパク質は組換え体であることを特徴とする、請求項１０記載のポリペプチドまたはタンパク質。
【請求項１１】
請求項８または請求項９記載のポリペプチドもしくはタンパク質と担体を含有することを特徴とする、生化学農薬組成物。
【請求項１２】
請求項８または請求項９記載のポリペプチドもしくはタンパク質と担体を用いる、農薬。
【請求項１３】
請求項８または請求項９記載のポリペプチドもしくはタンパク質と担体を用いる、植物生長促進剤。
【請求項１４】
請求項８または請求項９記載のポリペプチドもしくはタンパク質と担体を用いる、種子処理剤。
【請求項１５】
請求項８または請求項９記載のポリペプチドもしくはタンパク質と担体を用いる、害虫忌避剤。
【請求項１６】
請求項８または請求項９記載のポリペプチドもしくはタンパク質と担体を用いる、肥料。
【請求項１７】
枝黒枯病菌ＷＴ＃３（Erwinia pyrifoliae WT#3、ＫＣＣＭ  １０２８３）の培養物、および枝黒枯病菌ＷＴ＃３（Erwinia pyrifoliae WT#3、ＫＣＣＭ  １０２８３）由来の菌株の植物過敏感反応誘導遺伝子を含む形質転換体（ＫＣＣＭ  １０２８２）から、過敏感反応又は耐性を誘導するポリペプチドまたはタンパク質を分離、精製して、前記ポリペプチドまたはタンパク質を大量生産する方法。
【手続補正書】
【提出日】平成16年4月8日(2004.4.8)
【手続補正１】
【補正対象書類名】特許請求の範囲
【補正対象項目名】全文
【補正方法】変更
【補正の内容】
【特許請求の範囲】
【請求項１】
還元物質により架橋されたタンパク質、固形植物性脂肪および任意の補助剤のマトリックス中にカロテノイドおよび／または脂溶性ビタミンを含む組成物。
【請求項２】
還元物質により架橋されたタンパク質、固形植物性脂肪および任意の補助剤のマトリックス中にカロテノイドを含む組成物。
【請求項３】
タンパク質がゼラチンである、請求項１または２記載の組成物。
【請求項４】
還元物質が還元糖である、請求項１〜３のいずれか一項記載の組成物。
【請求項５】
マトリックスが約５〜約８０重量％のタンパク質、約５〜約５０重量％の還元物質および約２〜約３０重量％の固形植物性脂肪を含む、請求項１〜４のいずれか一項記載の組成物。
【請求項６】
マトリックスが約１０〜約４０重量％のタンパク質、約１０〜約３５重量％の還元物質および約５〜約２０重量％の固形植物性脂肪を含む、請求項１〜５のいずれか一項記載の組成物。
【請求項７】
約０．１〜約３０重量％のカロテノイドおよび／または脂溶性ビタミンを含む、請求項１〜６のいずれか一項記載の組成物。
【請求項８】
約１〜約１０重量％のカロテノイドおよび／または脂溶性ビタミンを含む、請求項１〜６のいずれか一項記載の組成物。
【請求項９】
カロテノイドが、α−もしくはβ−カロテン、８’−アポ−β−カロテナール、８’−アポ−β−カロテン酸エステル、例えばエチルエステル、カンタキサンチン、アスタキサンチン、リコペン、ルテイン、ゼアキサンチンまたはクロセチンあるいはそれらの混合物である、請求項１〜８のいずれか一項記載の組成物。
【請求項１０】
カロテノイドが、β−カロテン、ルテインまたはリコペンあるいはそれらの混合物である、請求項１〜９のいずれか一項記載の組成物。
【請求項１１】
カロテノイドがβ−カロテンである、請求項１〜１０のいずれか一項記載の組成物。
【請求項１２】
カロテノイドが、リコペンとルテインとの混合物である、請求項１〜１０のいずれか一項記載の組成物。
【請求項１３】
植物性脂肪が、ヒマワリ脂肪または硬化ナタネ油である、請求項１〜１２のいずれか一項記載の組成物。
【請求項１４】
グリセロールが補助剤として存在する、請求項１〜１２のいずれか一項記載の組成物。
【請求項１５】
脂溶性ビタミンが、ビタミンＡ、ビタミンＤ、ビタミンＥまたはビタミンＫあるいはそれらの混合物である、請求項１記載の組成物。
【請求項１６】
請求項１〜１５のいずれか一項記載の組成物を調製する方法であって、タンパク質、還元物質および任意の水溶性補助剤の水溶液を、カロテノイドおよび／または脂溶性ビタミン、固形植物性脂肪ならびに任意の脂溶性補助剤と一緒に乳濁物に形成すること；その乳濁物を乾燥粒子状形態に変換すること；およびその粒子を、タンパク質と還元物質との架橋を生じさせる条件に委ねることを含む方法。
【請求項１７】
食品用添加物としての請求項１〜１５のいずれか一項記載の組成物の使用。
【請求項１８】
食品が植物性脂肪である、請求項１７記載の使用。
【請求項１９】
食品がマーガリンである、請求項１７記載の使用。
【請求項２０】
請求項１〜１５のいずれか一項記載の組成物を含有する食品。
【請求項２１】
請求項１〜１５のいずれか一項記載の組成物を含有する植物性脂肪。
【請求項２２】
請求項１〜１５のいずれか一項記載の組成物を含有するマーガリン。
【手続補正書】
【提出日】平成16年2月6日(2004.2.6)
【手続補正１】
【補正対象書類名】特許請求の範囲
【補正対象項目名】全文
【補正方法】変更
【補正の内容】
【特許請求の範囲】
【請求項１】
血管内皮成長因子レセプター１（ＶＥＧＦＲ１）をコードするＲＮＡ配列またはその一部に相補的な第１のヌクレオチド配列，および前記第１の配列に相補性を有する第２の配列を含む二本鎖短干渉ＲＮＡ（ｓｉＲＮＡ）分子であって，前記第１の配列および前記第２の配列は，独立して，約１９ヌクレオチド−約２３ヌクレオチドを含み，および前記ｓｉＲＮＡ分子は２’−ＯＨ含有リボヌクレオチドではない少なくとも１つのヌクレオチドを含むことを特徴とするｓｉＲＮＡ分子。
【請求項２】
前記ｓｉＲＮＡ分子の前記第１の配列および前記第２の配列がそれぞれ約２１ヌクレオチドを含む，請求項１記載のｓｉＲＮＡ分子。
【請求項３】
前記ｓｉＲＮＡ分子の前記第１の配列および前記第２の配列がそれぞれ約１９ヌクレオチドを含む，請求項１記載のｓｉＲＮＡ分子。
【請求項４】
前記ｓｉＲＮＡ分子が，前記ｓｉＲＮＡの３’末端，５’末端，または３’末端および５’末端の両方にヌクレオチドオーバーハングを含む，請求項１記載のｓｉＲＮＡ分子。
【請求項５】
前記ｓｉＲＮＡ分子がヌクレオチドオーバーハングを含まない，請求項１記載のｓｉＲＮＡ分子。
【請求項６】
前記ｓｉＲＮＡ分子が化学的に合成されたものである，請求項１記載のｓｉＲＮＡ分子。
【請求項７】
前記ｓｉＲＮＡ分子が少なくとも１つの２’−デオキシ（２’−Ｈ）ヌクレオチドを含む，請求項１記載のｓｉＲＮＡ分子。
【請求項８】
前記ｓｉＲＮＡ分子が少なくとも１つの２’−デオキシ−２’−フルオロ（２’−Ｆ）ヌクレオチドを含む，請求項１記載のｓｉＲＮＡ分子。
【請求項９】
前記ｓｉＲＮＡ分子が少なくとも１つの２’−Ｏ−アルキルヌクレオチドを含む，請求項１記載のｓｉＲＮＡ分子。
【請求項１０】
前記２’−Ｏ−アルキルヌクレオチドが２’−Ｏ−メチルヌクレオチドである，請求項９記載のｓｉＲＮＡ分子。
【請求項１１】
前記２’−Ｏ−アルキルヌクレオチドが２’−Ｏ−アリルヌクレオチドである，請求項９記載のｓｉＲＮＡ分子。
【請求項１２】
前記ｓｉＲＮＡ分子が少なくとも１つの核酸塩基修飾を含む，請求項１記載のｓｉＲＮＡ分子。
【請求項１３】
前記ｓｉＲＮＡ分子が少なくとも１つの核酸骨格修飾を含む，請求項１記載のｓｉＲＮＡ分子。
【請求項１４】
前記ｓｉＲＮＡ分子が少なくとも１つの非ヌクレオチドを含む，請求項１記載のｓｉＲＮＡ分子。
【請求項１５】
前記非ヌクレオチドが無塩基成分を含む，請求項１４記載のｓｉＲＮＡ分子。
【請求項１６】
前記無塩基成分が，前記第１の配列および／または前記第２の配列の３’末端，５’末端，または３’末端および５’末端の両方に存在する，請求項１５記載のｓｉＲＮＡ分子。
【請求項１７】
請求項１記載のｓｉＲＮＡを薬学的に許容しうる担体または希釈剤中に含む組成物。
【請求項１８】
請求項１記載のｓｉＲＮＡ分子を含む医薬品。
【請求項１９】
ＶＥＧＦＲ１遺伝子の発現をダウンレギュレートするための二本鎖短干渉核酸（ｓｉＲＮＡ）分子の使用であって，前記ｓｉＲＮＡ分子は，血管内皮成長因子レセプター１（ＶＥＧＦＲ１）をコードするＲＮＡ配列またはその一部に相補的な第１のヌクレオチド配列および前記第１の配列に対して相補性を有する第２の配列を含む二本鎖短干渉ＲＮＡ（ｓｉＲＮＡ）分子を含み，前記第１の配列および前記第２の配列は，独立して，約１９ヌクレオチドから約２３ヌクレオチドを含み，および前記ｓｉＲＮＡ分子は少なくとも１つの２’−ＯＨ含有リボヌクレオチドではないヌクレオチドを含む，ことを特徴とする使用。
【手続補正書】
【提出日】平成16年11月9日(2004.11.9)
【手続補正１】
【補正対象書類名】明細書
【補正対象項目名】０１６４
【補正方法】変更
【補正の内容】
【０１６４】
添付の図は本明細書に開示する発明の原理を図示するもので、単に例として意図されており、本発明の請求項の範囲を制限するためにあると解釈すべきものではない。
【図１】B型肝炎ウイルスの突然変異体（HBV-m）及び野生型（HBV-WT）双方のDNA依存性のDNAポリメラーゼ活性を測定したアッセイを図示する。
【図２】抗ウイルス化合物ラミブジン-TPの阻害曲線であり、野生型HBVポリメラーゼ活性に対するこの薬剤の濃度範囲にわたっての影響を図示する。
【図３】抗ウイルス化合物ラミブジン-TPの阻害曲線であり、HBVポリメラーゼ活性に対するこの薬剤の濃度範囲にわたっての影響を、ラミブジンに高感度な表現型を持つ野生型（HBV-WT）及びラミブジンに抗性な表現型を持つ突然変異体のHBVタンパク質（HBV-M、HM1、及びHM2、HM5）に対して図示する。
【配列表】
SEQUENCE LISTING
<110> FOCUS TECHNOLOGIES, INC.
<120> Functional Protein Expression for Rapid Cell-Free
Phenotyping
<130> GT-A0301
<140> JP   2002-588199
<141> 2001-11-27
<150> US   60/253,150
<151> 2000-11-27
<150> US   60/297,686
<151> 2001-06-12
<150> US   60/304,533
<151> 2001-07-09
<150> US   09/996,187
<151> 2001-11-27
<160> 6
<170> PatentIn Ver. 2.1
<210> 1
<211> 27
<212> DNA
<213> Artificial Sequence
<220> 
<223> Description of Artificial Sequence: PCR Primer
<400> 1
cctatagacc accaaatgcc cctatct                                     27
<210> 2
<211> 24
<212> DNA
<213> Artificial Sequence
<220> 
<223> Description of Artificial Sequence: PCR Primer
<400> 2
aggagatctc tgacggaagg aaag                                        24
<210> 3
<211> 61
<212> DNA
<213> Artificial Sequence
<220> 
<223> Description of Artificial Sequence: PCR Primer
<400> 3
gaaattaata cgactcacta taggagaagg agaaccatgc ccctatctta tcaacacttc 60
c                                                                 61
<210> 4
<211> 27
<212> DNA
<213> Artificial Sequence
<220> 
<223> Description of Artificial Sequence: PCR Primer
<400> 4
tttttacggt cgttgacatt gctggga                                     27
<210> 5
<211> 33
<212> DNA
<213> Artificial Sequence
<220> 
<223> Description of Artificial Sequence:  PCR Primer
<400> 5
cattgctctc caattactgt gatatttctc atg                              33
<210> 6
<211> 25
<212> DNA
<213> Artificial Sequence
<220> 
<223> Description of Artificial Sequence: PCR Primer
<400> 6
gggaagatct ggcctcctac aaggg                                       25
【誤訳訂正書】
【提出日】平成16年3月11日(2004.3.11)
【誤訳訂正１】
【訂正対象書類名】明細書
【訂正対象項目名】００１４
【訂正方法】変更
【訂正の内容】
【００１４】
本発明において有用であることが分かった特定のポリオレフィン材料は、射出成形用に設計されたプロピレンの単独重合体である。この特定のプロピレンの単独重合体は、１０分間当たり３２グラムの溶融流量、立方センチ当たり９０グラムの密度、１４７°Ｃの融点、３４．４７Ｍｐａ（５．０ｋｐｓｉ）の引っ張り強さ、１６％の伸び及び１３７８．９５Ｍｐａ（２００ｋｐｓｉ）の曲げ弾性率を有している。このような化合物は、ＡＣＨＩＥＶＥ  １６２５という商標名によってＥｘｘｏｎ  Ｃｈｅｍｉｃａｌによって製造販売されている。本発明において有用であることがわかった特別なエチレンブテン−１共重合体は、射出成形用途のために設計された共重合体である。このような化合物はＥＸＡＣＴ  ４０４９という商標名によってＥｘｘｏｎ  Ｃｈｅｍｉｃａｌによって製造販売されている。
【手続補正書】
【提出日】平成16年8月19日(2004.8.19)
【手続補正１】
【補正対象書類名】明細書
【補正対象項目名】特許請求の範囲
【補正方法】変更
【補正の内容】
【特許請求の範囲】
【請求項１】  ファイルサーバを操作する方法であって、
前記ファイルサーバが実行する、複数の操作システムに対応する複数の安全スタイルから選択された第１安全スタイルを有するファイルサーバ上の第１ファイルを識別するステップと、
上記複数の安全スタイルのうちのもう１つの安全スタイルにおけるアクセスを含む、前記第１ファイルに対する全てのアクセスに前記第１安全スタイルを実施するステップとからなる方法。
【請求項２】  請求項１に記載の方法であって、
前記複数の安全スタイルが、ウィンドウズＮＴ安全スタイル、ＵＮＩＸ安全スタイル、または、ウィンドウズＮＴ安全スタイル及びＵＮＩＸ安全スタイルの両方を含んでいることよりなる方法。
【請求項３】  請求項１に記載の方法であって、
前記第１ファイルをファイルシステムにおけるファイルのサブセットと関連づけるステップと、
前記サブセットのファイルを、前記複数の安全スタイルの安全サブセットに限定するステップとを含み、
前記ファイルシステムのツリー構造に許可を設定する試みが前記安全サブセットに制限されることよりなる方法。
【請求項４】  請求項１に記載の方法であって、
前記識別ステップと前記実施ステップとが、さらに前記第１安全スタイルにおける許可を第２安全スタイルにマッピングするステップを含み、前記マッピングが、ダイナミックに、または、静的に行われることよりなる方法。
【請求項５】  請求項１に記載の方法であって、
前記実施ステップが、
前記第１安全スタイルの前記第１ファイルに対応する第１群の許可を、該第１群の許可に比べて、より制限的でなくはない第２安全スタイルの第２群の許可に翻訳するステップと、
前記第２群の許可を利用して前記第２安全スタイルのファイルサーバ・リクエストを実施するステップとからなる方法。
【請求項６】  ファイルサーバを操作する方法であって、
前記ファイルサーバが実行する、複数の操作システムに対応する複数の安全スタイルから選択された第１安全スタイルを有するファイルサーバ上の第１ファイルを識別するステップと、
前記ファイルサーバに対する全てのアクセスに前記第１安全スタイルを実施するステップとからなり、
前記実施ステップが、
前記第１安全スタイルで前記第１ファイルと関連付けた第１群の許可を認識するステップと、
前記第１安全スタイルと関連付けられている第１ユーザタイプを規定するステップと、
第２安全スタイルに関連付けられている第２ユーザタイプからユーザを前記第１ユーザタイプに翻訳するステップと、
前記第１ユーザタイプと前記第１群の許可とを用いて前記第２ユーザタイプからのファイルサーバ・リクエストを実施するステップとからなる方法。
【請求項７】  それぞれがファイルサーバが実行する、複数の操作システムに対応する複数の安全スタイルから選ばれた対応安全スタイルを有する、前記ファイルサーバに適した一群のファイルからなり、
前記ファイルサーバが、上記複数の安全スタイルのうちのもう１つの安全スタイルにおけるアクセスを含む、前記ファイルに対する全てのアクセスに対して前記対応安全スタイルを実施することよりなるファイルサーバ。
【請求項８】  請求項７に記載のものであって、
前記複数の安全スタイルにウィンドウズＮＴ安全スタイル、ＵＮＩＸ安全スタイル、または、ウィンドウズＮＴ安全スタイル及びＵＮＩＸ安全スタイルの両方が含まれていることよりなるファイルサーバ。
【請求項９】  請求項７に記載のものであって、
前記複数の安全スタイルの安全サブセットに対応する前記ファイルシステムのサブツリー構造からなり、
前記ファイルサーバは前記安全サブセットに対して前記サブツリー構造に許可を設定する試みを制限することよりなるファイルサーバ。
【請求項１０】  それぞれがファイルサーバが実行する、複数の操作システムに対応する複数の安全スタイルから選ばれた対応安全スタイルを有する、前記ファイルサーバに適した一群のファイルからなり、
前記ファイルサーバが、上記複数の安全スタイルのうちのもう１つの安全スタイルにおけるアクセスを含む、前記ファイルに対する全てのアクセスに対して前記対応安全スタイルを実施するものであり、
また、ファイルサーバ・リクエストに応答して前記ファイルに関連する安全スタイルを変更できることよりなるファイルサーバ。
【請求項１１】  請求項１０に記載のものであって、
前記ファイルサーバは、第１安全スタイルの前記ファイルに関連する第１群の許可を第２安全スタイルの第２群の許可に変更することができ、前記第２群の許可が前記第１群の許可に比べて、より制限的でなくはないことよりなるファイルサーバ。
【手続補正書】
【提出日】平成17年3月2日(2005.3.2)
【手続補正１】
【補正対象書類名】明細書
【補正対象項目名】特許請求の範囲
【補正方法】変更
【補正の内容】
【特許請求の範囲】
【請求項１】  入射する放射（ラディエーション）に対して露出可能（エクスポーザブル）であり且つそこから電荷を集めるための複数の電荷収集接点を有するデテクタ基板を含み、各電荷収集接点は読出し基板の読出セル回路の配列（アレイ）のそれぞれの回路の入力部に結合しており、その読出し基板は複数のセル回路と関連し且つ接続されているさらに別の回路構成を含んでいるかまたは搭載しており、前記更に別の回路構成は前記読出し基板の第一領域に配置され、前記セル回路の配列は前記読出し基板の第二領域に配置され、前記第一領域は前記第二領域とは異なる半導体撮像装置であって、
その装置において、少なくとも一つの第一電荷収集接点が、前記読出し基板の前記第二領域と位置合わせ（レジストレーション）にならないよう、および前記読出し基板の第一領域と重なり合うように配置されている半導体撮像装置。
【請求項２】  前記少なくとも一つの接点が前記セル回路の入力部と位置合わせにならないように配置されている、請求項１に記載の装置。
【請求項３】  入射する放射（ラディエーション）に対して露出可能であり且つそこから電荷を集めるための複数の電荷収集接点を有するデテクタ基板を含み、各電荷収集接点は読出し基板の読出セル回路の配列のそれぞれの回路の入力部に結合しており、前記読出し基板はさらに前記セル回路と関連し且つ接続されているさらに別の回路構成を含んでいるかまたは搭載しており、前記更に別の回路構成は前記読出し基板の第一領域に配置され、前記セル回路の配列は前記読出し基板の第二領域に配置され、前記第一領域は前記第二領域とは異なる半導体撮像装置であって、
その装置において、少なくとも一つの第一電荷収集接点が、その接点のためのセル回路の入力部と位置合わせにならないよう、および前記読出し基板の第一領域に重なり合うように配置されている半導体撮像装置。
【請求項４】  少なくとも一つの第二接点が、それとの接続をはたすため関連するセル回路の入力部と位置合わせされている、請求項１、２または３に記載の装置。
【請求項５】  前記複数の第一接点からなる第一セットと前記複数の第二接点からなる第二セットとを含み、前記第二セットは前記第一セットより大きい、請求項4に記載の装置。
【請求項６】  前記複数の第一接点を含み、その少なくとも幾つかがデテクタ基板の端縁に向け配置されている、請求項３乃至５のいずれかに記載の装置。
【請求項７】  前記別の回路構成が制御回路構成を含んでいる、請求項１乃至６のいずれかに記載の装置。
【請求項８】  前記別の回路構成がマルチプレックス出力信号を作成するためのマルチプレックシング回路を含んでいる、請求項１乃至７のいずれかに記載の装置。
【請求項９】  そのまたは各第一接点を、それぞれのセル回路の入力部と位置合わせになっている各中間端子位置に結ぶ、それぞれの導電路を更に含む、請求項１乃至８のいずれかに記載の装置。
【請求項１０】  そのまたは各導電路が、デテクタ基板の面に搭載されている、請求項９に記載の装置。
【請求項１１】  そのまたは各導電路が、電荷収集接点の位置においてのみ、デテクタ基板と電気的に接触している、請求項１０に記載の装置。
【請求項１２】  前記電荷収集接点が、直接にまたはマイクロバンプを介して間接に前記読出し基板と結合されている、請求項１乃至１１のいずれかに記載の装置。
【請求項１３】  入射する放射に対して露出可能であり且つそこから電荷を集めるための複数の電荷収集接点を有するデテクタ基板と、読出しセル回路構成を搭載するかまたは含んでいる読出し基板と、を含む半導体撮像装置であって、
前記読出し基板は、各電荷収集接点と結合または前記デテクタ基板から信号を受信するように構成したそれぞれのセル回路を有する第一の領域と、複数のセル回路と関連し且つ接続されている更に別の回路構成を有する第二の領域とを含むものであり、且つ前記電荷収集接点が、前記読出し基板の第一および第二の領域にわたって配置されている半導体撮像装置。
【請求項１４】  前記読出し基板の第二の領域の上に置かれた電荷収集接点から第一の領域のそれぞれのセル回路上の位置まで延びる導体を含む、請求項１３に記載の装置。
【請求項１５】  前記電荷収集接点が、少なくとも一次元において、前記読出し基板と実質的に共存し得る前記デテクタ基板の活性面を定めるものである、請求項１乃至１４のいずれかに記載の装置。
【請求項１６】  各記セル回路が、それぞれの電荷収集接点から受けた電荷を蓄積するための回路を含むものである、請求項１乃至１５のいずれかに記載の装置。
【請求項１７】  前記セル回路と位置合わせされていない電荷収集接点と関連し、そのまたは各セル回路が、前記電荷収集接点からの予想信号レベルに応じた電荷蓄積容量を有するものである、請求項１６に記載の装置。
【請求項１８】  入射する放射に対して露出可能であり且つそこから電荷を集めるための複数の電荷収集接点を有するデテクタ基板と、前記電荷収集接点から受けた電荷を蓄積するための各電荷収集接点と結合した読出しセル回路を搭載するか含んでいる読出し基板と、関連するセル回路と位置合わせにならないように配置された少なくとも一つの第一電荷収集接点、および関連するセル回路と位置合わせになるように配置された少なくとも一つの第二電荷収集接点と、を含む半導体撮像装置であって、前記第一電荷収集接点のためのセル回路は前記第二電荷収集接点のためのセル回路と異なる電荷蓄積容量を有するものである半導体撮像装置。
【請求項１９】  それぞれのモジュ−ルが、請求項１乃至１８のいずれかに記載の撮像装置を含む複数の撮像装置モジュ−ルを含む、撮像システム。